(57)【特許請求の範囲】
【請求項１】
動物又はマスコットを模してなるぬいぐるみ形状の小物ホルダーであって、該ぬいぐるみ形状の小物ホルダーは、前方に向けて保持されると共に、バネ部材を内包する２つの挟持体を有し、該２つの挟持体は、先端にリング形状の保持部を備え、該保持部が小物に接触しつつ、両側から前記バネ部材のバネ力により押圧することによって、小物を保持することを特徴とするぬいぐるみ形状の小物ホルダー。
【請求項２】
リング形状の保持部は、弾性を備えたゴムにより形成されていることを特徴とする請求項１に記載のぬいぐるみ形状の小物ホルダー。
【請求項３】
リング形状の保持部は、保持する小物と接触する面が傾斜面にて形成されていることを特徴とする請求項１又は２に記載のぬいぐるみ形状の小物ホルダー。
【請求項４】
リング形状の保持部は、保持する小物の外形に対応させた曲面を有していることを特徴とする請求項１〜３のいずれか１項に記載のぬいぐるみ形状の小物ホルダー。
【請求項５】
２つの挟持体は、動物又はマスコットを模してなるぬいぐるみの２本の腕であることを特徴とする請求項１〜４のいずれか１項に記載のぬいぐるみ形状の小物ホルダー。
【請求項６】
バネ部材は、両端の略リング形状からなる挟持部と、該挟持部から延出する略コ字状のリンク部とが一体的に形成されていることを特徴とする請求項１〜５のいずれか１項に記載のぬいぐるみ形状の小物ホルダー。
【請求項７】
２つの挟持体を、上下方向に回動させることができることを特徴とする請求項１〜６のいずれか１項に記載のぬいぐるみ形状の小物ホルダー。
【発明の詳細な説明】
【技術分野】
【０００１】
本発明は、装身具、筆記具、化粧品、ＵＳＢメモリー、印鑑等の小物を見栄えよく保持することができるぬいぐるみ形状の小物ホルダーに関するものである。
【背景技術】
【０００２】
従来から、指輪等の装身具、リップスティック等の化粧品、ＵＳＢメモリー及び印鑑等の小物を保持するためのぬいぐるみ形状の小物ホルダーが知られている（特許文献１）。このぬいぐるみ形状の小物ホルダーは、犬を模したぬいぐるみの口として形成されている保持部に、指輪のリング部分を挟み、宝石部分を前方に向けることにより、使用時にどの指輪であるかがすぐに判断できるものであった。
【先行技術文献】
【特許文献】
【０００３】
【特許文献１】登録実用新案第３１６３６４２号公報
【発明の概要】
【発明が解決しようとする課題】
【０００４】
しかしながら、上記特許文献１に記載のぬいぐるみ形状の小物ホルダーは、指輪のリング部分を、犬を模したぬいぐるみの口として形成されている保持部によって挟持されるので、挟持される指輪のリング部分の一部が隠れてしまうものであった。
【０００５】
したがって、指輪の全体像を把握する場合には、ぬいぐるみ形状の小物ホルダーから取り出す必要があった。すでに指輪を購入しており、指輪の全体像を把握している場合には、このぬいぐるみ形状の小物ホルダーで十分なのかもしれないが、これから指輪を購入する場合に、例えば、宝石店の店頭やショーケースにぬいぐるみ形状の小物ホルダーに指輪を挟持した状態で展示する場合や、透明なガラスやプラスチック製の小物ケースに、指輪を挟持した状態のぬいぐるみ形状の小物ホルダーを収容して販売する場合には、指輪の全体像が一目瞭然に把握できた方が見栄えがよく、商品価値を高めることにもつながるものであった。さらに、小物を傷つけることなく、確実に保持することができれば、指輪を装着した状態で持ち運ぶことができ、記念日等のプレゼントのアイテムとして利用することが期待される。
【０００６】
本発明は上記点に鑑み、小物ホルダーに小物を保持した状態で小物の全体像が一目瞭然に把握できて見栄えがよく、商品価値を高めると共に、小物を傷つけることなく、確実に保持することができるぬいぐるみ形状の小物ホルダーを提供することを目的とする。
【課題を解決するための手段】
【０００７】
請求項１の発明では、動物又はマスコットを模してなるぬいぐるみ形状の小物ホルダーであって、該ぬいぐるみ形状の小物ホルダーは、前方に向けて保持されると共に、バネ部材を内包する２つの挟持体を有し、該２つの挟持体は、先端にリング形状の保持部を備え、該保持部が小物に接触しつつ、両側から前記バネ部材のバネ力により押圧することによって、小物を保持することを特徴としている。したがって、リング形状の保持部によって小物を傷つけることなく確実に保持することができ、小物を保持した状態で持ち運ぶこともできる。また、保持部がリング形状となっていることから、挟持される小物の全体像を一目瞭然で把握することができ、小売店等の店頭で展示する場合には、見栄えよく展示することができる。
【０００８】
また、請求項２の発明では、請求項１の発明において、リング形状の保持部は、弾性を備えたゴムにより形成されていることを特徴としている。したがって、ゴムが変形することによって、小物を傷つけることなく挟持することができる。
【０００９】
また、請求項３の発明では、請求項１又は２の発明において、リング形状の保持部は、保持する小物と接触する面が傾斜面にて形成されていることを特徴としている。したがって、保持部の傾斜面によって小物を確実に挟持することができる。
【００１０】
また、請求項４の発明では、請求項１〜３のいずれかの発明において、リング形状の保持部は、保持する小物の外形に対応させた曲面を有していることを特徴としている。したがって、保持部の曲面によって小物を確実に挟持することができる。
【００１１】
また、請求項５の発明では、請求項１〜４のいずれかの発明において、２つの挟持体は、動物又はマスコットを模してなるぬいぐるみの２本の腕であることを特徴としている。例えば、装身具等の小物をプレゼントする場合に、見栄えがよくなり、プレゼントを受け取った相手に感動を与えることができる。
【００１２】
また、請求項６の発明では、請求項１〜５のいずれかの発明において、バネ部材は、両端の略リング形状からなる挟持部と、該挟持部から延出する略コ字状のリンク部とが一体的に形成されていることを特徴としている。したがって、２つの挟持体を一体的に形成された１つのバネ部材によって連結することとなるので、小物を確実に挟持することができる。
【００１３】
さらに、請求項７の発明では、請求項１〜６のいずれかの発明において、２つの挟持体を、上下方向に回動させることができることを特徴としている。したがって、挟持体が小物を挟持した状態で上下方向に回動させて楽しむことができる。
【発明の効果】
【００１４】
請求項１の発明では、小物を傷つけることなく確実に保持することができ、小物を保持した状態で持ち運ぶこともできる。また、挟持される小物の全体像を一目瞭然で把握することができ、小売店等の店頭で展示する場合には、見栄えよく展示することができる。
【００１５】
また、請求項２の発明では、ゴムが変形することによって、小物を傷つけることなく挟持することができる。また、請求項３の発明では、保持部の傾斜面によって小物を確実に挟持することができる。また、請求項４の発明では、保持部の曲面によって小物を確実に挟持することができる。
【００１６】
また、請求項５の発明では、装身具等の小物をプレゼントする場合に、見栄えがよくなり、プレゼントを受け取った相手に感動を与えることができる。また、請求項６の発明では、２つの挟持体を一体的に形成された１つのバネ部材によって連結することとなるので、小物を確実に挟持することができる。さらに、請求項７の発明では、挟持体が小物を挟持した状態で上下方向に回動させて楽しむことができる。
【図面の簡単な説明】
【００１７】
【図１】本発明に係るぬいぐるみ形状の小物ホルダーを正面方向から見た図である。
【図２】指輪を挟持した状態のぬいぐるみ形状の小物ホルダーの斜視図である。
【図３】指輪を挟持した状態のぬいぐるみ形状の小物ホルダーを平面方向から見た図である。
【図４】バネ部材を示す斜視図である。
【図５】ぬいぐるみ形状の小物ホルダーの一部を分解した斜視図である。
【図６】図６（ａ）は、リング形状の保持部の一例を示す斜視図であり、図６（ｂ）は、図６（ａ）のＡ−Ａ断面図である。
【図７】図７（ａ）は、リング形状の保持部の他例を示す斜視図であり、図７（ｂ）は、図７（ａ）のＢ−Ｂ断面図であり、図７（ｃ）は、図７（ａ）のＣ−Ｃ断面図である。
【発明を実施するための形態】
【００１８】
次に、本発明の実施形態を図面に基づいて説明する。図１は、本発明に係るぬいぐるみ形状の小物ホルダーを正面方向から見た図である。図１に示すように、ぬいぐるみ形状の小物ホルダー１０は、内部に綿等のクッション材が入れられた布素材の外皮材で形成されているものであり、外観は動物やマスコット等の形状を模して形成されている。そして、ぬいぐるみ形状の小物ホルダー１０は、胴体部３に、頭部１と、２本の腕部２ａ、２ｂと、２本の脚部４ａ、４ｂとが取り付けられている。尚、外皮材は、天然繊維及び／又は化学繊維等からなる織物、編物、フェルト、不織布等の布素材で構成することができるが、布素材以外の素材、例えば、革素材や樹脂素材等で構成することもできる。
【００１９】
ここで、２本の腕部２ａ、２ｂは、胴体部３の前方に向けて保持されており、後述するバネ部材を内包する２つの挟持体を兼ねている。そして、２つの挟持体２ａ、２ｂは、先端にリング形状の保持部５ａ、５ｂを備えている。
【００２０】
図２は、指輪を挟持した状態のぬいぐるみ形状の小物ホルダーの斜視図であり、図３は、指輪を挟持した状態のぬいぐるみ形状の小物ホルダーを平面方向から見た図である。図２及び図３に示すように、ぬいぐるみ形状の小物ホルダー１０は、２つの挟持体２ａ、２ｂが内包するバネ部材のバネ力によって、小物を構成する指輪６が、２つの挟持体２ａ、２ｂの各々の先端に備えられているリング形状の保持部５ａと５ｂとに両側から押圧されて保持されている。
【００２１】
図３に示すように、指輪６を平面方向から見た場合には、指輪６のリング形状の保持部５ａ、５ｂと接触している部分を視認することはできないが、図２に示すように、指輪６を斜め正面方向から見た場合には、指輪６のリング形状の保持部５ａ、５ｂと接触している部分を視認することができる。したがって、小物を構成する指輪６を保持した状態で、指輪６の全体像を一目瞭然で把握することができ、小売店等の店頭で、透明なガラスケースや透明なプラスチックの箱に入れて展示する場合には、見栄えよく展示することができる。
【００２２】
また、保持部５ａ、５ｂをリング形状とすることによって、指輪６との接触部分が４カ所になると共に、この４カ所の接触部分が均等に指輪６を押圧することとなるので、指輪６を確実に保持することができる。
【００２３】
尚、リング形状の保持部５ａ、５ｂは、弾性を備えたゴムにより形成されたものであることが好ましい。何故ならば、ゴムが変形することによって、指輪６を傷つけることなく保持することができると共に、小物を構成する指輪６との接触面積が増えることから、指輪６をさらに確実に保持することが可能となる。尚、リング形状の保持部５ａと５ｂとの間の距離は、小物を保持していない状態で、保持する小物の外径よりも短くなるように予め設定しておけばよく、小物を保持させる時に、バネ部材を内包する２つの挟持体２ａと２ｂの先端のリング形状の保持部５ａと５ｂとの間隔を、バネ部材のバネ力に抗して広げて小物を装着し、保持させるのである。
【００２４】
図４は、バネ部材を示す斜視図である。図４に示すように、バネ部材７は、両端の略リング形状からなる挟持部７ａ、７ｂと、この挟持部７ａと７ｂとから延出して、平面方向から見た場合に、略コ字状のリンク部７ｃとが一体的に形成されている。
【００２５】
また、略コ字状のリンク部７ｃは、前述した２つの挟持体２ａ、２ｂの内部に位置する棒状部７１、７３と、前述した胴体部３の内部に位置する棒状部７２とから構成されており、棒状部７１、７３と、棒状部７２との交点７ｅ、７ｄを支点として、バネ部材７が回動するように、２つの挟持体２ａ、２ｂと胴体部３に内包されている。
【００２６】
図５は、ぬいぐるみ形状の小物ホルダーの一部を分解した斜視図である。図５に示すように、バネ部材７の略リング形状からなる挟持部７ａ、７ｂは、挟持体２ａ、２ｂのリング形状の保持部５ａ、５ｂの背面を押圧するように、挟持体２ａ、２ｂの内部に配置されている。
【００２７】
そして、図４において説明したバネ部材７の棒状部７１、７３と、棒状部７２との交点７ｅ、７ｄを支点として、腕部を兼ねる挟持体２ａ、２ｂが矢印で示す上下方向に回動するように構成されている。
【００２８】
ここで、腕部を兼ねる挟持体２ａ、２ｂと、胴体部３とは、交点７ｅ、７ｄの近傍において接触していることから、この部分に摩擦力が生じている為、使用者が指で挟持体２ａ、２ｂを回動させないかぎり、挟持体２ａ、２ｂは、元の状態、即ち、胴体部３から前方に向けた状態で保持されている。
【００２９】
図６（ａ）は、リング形状の保持部の一例を示す斜視図であり、図６（ｂ）は、図６（ａ）のＡ−Ａ断面図である。これらの図に示すように、リング形状の保持部１５は、外周部１５ａと、傾斜面部１５ｂと、空洞部１５ｃとを有するものである。例えば保持する小物が、図２及び図３に示した指輪６の場合には、指輪６の外周面の一部が、傾斜面部１５ｂの傾斜面と接触することとなる。そして、空洞部１５ｃが形成されていることによって、指輪６を斜め正面方向から見た場合には、指輪６の全体像を一目瞭然で把握することができ、小売店等の店頭で、透明なガラスケースや透明なプラスチックの箱に入れて展示する場合には、見栄えよく展示することができる。
【００３０】
図７（ａ）は、リング形状の保持部の他例を示す斜視図であり、図７（ｂ）は、図７（ａ）のＢ−Ｂ断面図であり、図７（ｃ）は、図７（ａ）のＣ−Ｃ断面図である。これらの図に示すように、リング形状の保持部２５は、外周部２５ａと、傾斜面部２５ｂと、空洞部２５ｃと、曲面部２５ｄとを有するものである。例えば保持する小物が、万年筆やボールペン、リップスティック等のような円柱形状の外周を有する場合には、この外周形状に対応させて曲面部２５ｄの曲面を形成するようにすれば、この曲面によって小物を確実に挟持することができる。また、保持する小物が、図２及び図３に示した指輪６の場合には、指輪６の外周面の一部が、傾斜面部２５ｂの傾斜面と接触することとなる。
【産業上の利用可能性】
【００３１】
本発明のぬいぐるみ形状の小物ホルダーは、装身具、筆記具、化粧品、ＵＳＢメモリー、印鑑等の小物を保持するホルダーとして使用される。
【符号の説明】
【００３２】
１  頭部
２ａ、２ｂ  挟持体（腕部）
３  胴体部
４ａ、４ｂ  脚部
５ａ、５ｂ、１５、２５  リング形状の保持部
６  指輪
７  バネ部材
７ａ、７ｂ  挟持部
７ｃ  略コ字状のリンク部
７ｅ、７ｄ  交点
【図１】
0005957625.tif 000002
【図２】
0005957625.tif 000003
【図３】
0005957625.tif 000004
【図４】
0005957625.tif 000005
【図５】
0005957625.tif 000006
【図６】
0005957625.tif 000007
【図７】
0005957625.tif 000008